(57)【要約】【課題】左右の聴覚に対してバランスよく音を出力することができ、必要に応じてこのバランスを制御することで、視覚を通じた報知とのリンクによって音による演出を向上する。【解決手段】円筒部材１００を上皿２６の裏面側において左右方向に配置し、その両端部を一体皿２６の前面側に略９０°屈曲させ、当該円筒部材１００の軸線方向に、出力方向が軸直角方向となるように低音用スピーカ７０を取り付けたため、低音用スピーカ７０から出力された音は、円筒部材１００の内周面で反射しながら増幅し、円筒部材１００の左右にバランスよく伝搬されて音声出力部６０Ｌ、６０Ｒから遊技者の左右の耳へ入力されるため、違和感のない低音を提供することができる。円筒部材１００の左右の開口から出力される音質、音量を均等としたが、意図的にバランスを崩すように調整してもよい。【選択図】        図３
2004194818.tif 000002
【特許請求の範囲】
【請求項１】
遊技の進行状態を報知するための遊技状態報知領域を備えた前面パネルに対向して着座する遊技者に対して、音響効果によって前記遊技の進行状態を聴覚を通じて報知するスピーカシステムを備えた遊技機であって、
前記前面パネルの一部に対応して配置された中高音域用スピーカと、
前記前面パネルの裏面側において、当該前面パネルの左右端がそれぞれ開口部となるように取り回されて配置された筒体と、
前記筒体の周面の一部における軸線方向略中央部に取り付けられ、出力方向が前記筒体の軸直角方向とされた低音域用スピーカとを有し、
前記低音域用スピーカからの出力レベルが、前記筒体内で増幅された状態で左右端開口から出力されることを特徴とする遊技機。
【請求項２】
前記筒体の左右端からの出力レベルを調節する調整手段をさらに備えたことを特徴とする請求項１記載の遊技機。
【発明の詳細な説明】
【０００１】
【発明の属する技術分野】
本発明は、遊技の進行状態を報知するための遊技状態報知領域を備えた前面パネルに対向して着座する遊技者に対して、音響効果によって前記遊技の進行状態を聴覚を通じて報知するスピーカシステムを備えた遊技機に関するものである。
【０００２】
【従来の技術】
従来より、遊技機、特にパチンコ機において、始動入賞口（特別図柄始動入賞口）に入賞したパチンコ球を検出することで抽選がなされ、この抽選の結果、当たりとなると、大入賞口が所定期間、所定回数開放され（１回の開閉を１ラウンドとし、一般に１０〜１６ラウンド継続する。）、遊技球の入賞率を高める、遊技者に有利な状態とする機能（大当り）を持つパチンコ機がある。
【０００３】
この種のパチンコ機では、抽選の結果を遊技者に報知する演出として、パチンコ機のゲージ盤の中央に表示部（通常は液晶表示画面）を設置している。この表示部は、複数の列（例えば３列）の図柄変動パターン画面が構成され（背景画面もある）、この変動する図柄変動パターン演出後に停止したときの図柄の並びで当／外を報知するようになっている。遊技者は、この図柄変動画面を見ることによって、当たりか外れかに一喜一憂するため、期待感を持たせることができる。
【０００４】
このような視覚を通じた演出に加え、パチンコ機にはスピーカが設置されており、前記図柄変動パターン演出に同期しながら音を出力するようにしている（例えば、登場するキャラクタ等の動きにあわせた効果音の出力等）。
【０００５】
このような音響効果は、年々音質の向上、音量の増強を要求されており、これに対応するためには大口径のコーンを持つスピーカが必要となる。
【０００６】
ところが、パチンコ機の筐体自体に制約があり、かつ遊技盤面を大きくするという設計上の制約もあるため、所望の音質、音量を確保するための大口径スピーカを取り付けることができない。
【０００７】
この場合、中高音用のスピーカは、比較的口径が小さくても音質、音量を確保できるが、低音用スピーカ（ウーファー）については、要求される音質、音量に応えるには設置スペースが不足する。
【０００８】
これを解決するため、特許文献１では、低音増強用スピーカをダクトに一端開口に取り付け、ダクト内で増幅した後、他端開口から出力する低音増強装置が提案されている。
【０００９】
【特許文献１】
特開２０００−３０８７０６公報
【００１０】
【発明が解決しようとする課題】
しかしながら、特許文献１では、ダクトの配置を遊技台の他の装備する部品に傷害の無い部位とし、ダクトの形状を箱体の表面あるいは内部に薄く広がる形状で、低音を増強するに必要な低音の共鳴箱としているが、実際に開示されている構成は、パチスロ機に適用し、木製の箱体で略Ｌ字型の直線的なダクトのみであり、ダクトの一端開口にスピーカを配置し、他端開口から出力するという構成以外の構成が到底予測することができない。
【００１１】
すなわち、単一のスピーカから出力される音を、遊技機に対面して着座している遊技者の左右の聴覚（耳）へのバランスのよい出力等の調整はできない。
【００１２】
本発明は、左右の聴覚に対してバランスよく音を出力することができ、必要に応じてこのバランスを制御することで、視覚を通じた報知とのリンクによって音による演出を向上することができる遊技機を得ることが目的である。
【００１３】
【課題を解決するための手段】
請求項１に記載の発明は、遊技の進行状態を報知するための遊技状態報知領域を備えた前面パネルに対向して着座する遊技者に対して、音響効果によって前記遊技の進行状態を聴覚を通じて報知するスピーカシステムを備えた遊技機であって、前記前面パネルの一部に対応して配置された中高音域用スピーカと、前記前面パネルの裏面側において、当該前面パネルの左右端がそれぞれ開口部となるように取り回されて配置された筒体と、前記筒体の周面の一部における軸線方向略中央部に取り付けられ、出力方向が前記筒体の軸直角方向とされた低音域用スピーカとを有し、前記低音域用スピーカからの出力レベルが、前記筒体内で増幅された状態で左右端開口から出力されることを特徴としている。
【００１４】
請求項１記載の発明によれば、単一の低音用スピーカから出力される音を筒体内で増幅し、着座している遊技者の左右の聴覚（耳）に対応するように筒体の左右端からバランスよく出力するようにしたため、中低音用スピーカからの音との重なり等、遊技者に違和感を与えることがない。
【００１５】
請求項２に記載の発明は、前記請求項１に記載の発明において、前記筒体の左右端からの出力レベルを調節する調整手段をさらに備えたことを特徴としている。
【００１６】
請求項２に記載の発明によれば、例えば、画像として重量物キャラクタ（象等）の移動の際に、調整手段によって、画像の動きに合わせて、低音の左右の出力バランスを調整することで、一対の低音用スピーカを用いるのと同等のステレオ効果をもたらすことができる。
【００１７】
【発明の実施の形態】
図１には、本発明の一実施の形態に係るパチンコ機１０が示されている。パチンコ機１０は外枠１２を備え、外枠１２の前面には、窓部を有する額縁状の内枠１４の一側部（図１の左辺部）が開閉可能に取付けられている。
【００１８】
内枠１４には、複数の表示灯６２、６３や中高音用スピーカ６４、６６が設けられている。また、内枠１４の中央には、窓部となっており、この窓部には紙面奥行き方向に所定の間隔で互いに平行とされた一対のガラス１６（二重構造）が装着されたガラス枠２０が設けられている。また、内枠１４の図１の右辺部には施錠装置（シリンダ）２２が設けられている。
【００１９】
ガラス枠２０の下方位置には、球皿部２４を備えた一体皿２６が配設されている。この一体皿の球皿部２４には、貯球タンク（図示省略）と連通し、この貯球タンク内のパチンコ球を球皿部２４へ流出させる連通口２３が設けられている。
【００２０】
一体皿２６は、その一側部（図１の左辺部）が内枠１４に対して開閉可能に取付けられている。一体皿２６の前面には、左側下部に灰皿２８が配置され、右側下部には発射装置１６４（図３参照）から発射する打球の飛距離を調整するための発射ハンドル３０が設けられている。
【００２１】
また内枠１４の窓部には、遊技盤載置台に載せて交換可能とされた遊技盤３２が窓部に対応して設置されている。
【００２２】
図２に示される如く、遊技盤３２は、外バンド３６及び内バンド３８によって囲まれた略円形状の遊技領域４０が形成されている。
【００２３】
遊技領域４０には、図示しない釘や風車の他、センター役物４２、当該センター役物４２に設けられた特別図柄表示装置４３、並びに大入賞口（変動入賞装置）４４等の役物、始動口４６や通過装置４８、入賞装置４９等の遊技部品が取り付けられており、最下位置にアウト口５４が配置されている。
【００２４】
ここで、本実施の形態では、一体皿２６の左右端に縦長状の音声出力部６０Ｌ、６０Ｒが形成されている。
【００２５】
図３に示される如く、この音声出力部６０Ｌ、６０Ｒの裏面側には、低音用スピーカシステム６５の一部を構成する円筒部材１００の両端開口が対向している。
【００２６】
図３及び図４に示される如く、円筒部材１００は、パチンコ機１０の左右に連続して設けられており、この左右両端部近傍が前記一体皿２６の裏面側に向けて略９０°屈曲されている。
【００２７】
なお、図３及び図４では、円筒部材１００の中間部を直線的に示してあるが、実際には、一体皿２６の裏面側の他の部材の配置状態により、適宜屈曲されて配置される場合もあり得る。このため、予め円筒部材１００を蛇腹状のフレキシブルに屈曲可能な構造としておくことが好ましい。また、円筒部材１００は、塩化ビニル等の合成樹脂が好ましい。
【００２８】
この円筒部材１００は、低音増幅管としての役目を有しており、軸線方向中央部には、低音用スピーカ取付部１０２が形成されている。この低音用スピーカ取付部１０２は矩形状であり、円筒部材１００の周面から半径方向に突出されている。突出先端面には、開口部６８が形成されている。この開口部６８の四隅にはフランジが形成され、低音用スピーカ取付用雌ねじ６８Ａが設けられている。
【００２９】
低音用スピーカシステム６５の主体である低音用スピーカ７０は、比較的小口径のコーンで構成されており、このコーンの周端が取付ブラケット７２に嵌め込まれている。取付ブラケット７２には、その四隅に円孔７２Ａが設けられ、それぞれ前記フランジの雌ねじ６８Ａに対応している。このため、低音用スピーカ７０を前記低音用スピーカ取付部１０２の突出先端面が突き合わせると、円孔７２Ａと雌ねじ６８Ａとが同軸となり、ビス７４によって螺合することで、低音用スピーカ７０を固定することができる。
【００３０】
この低音用スピーカ７０は、音の出力方向が円筒部材６２の軸直角方向に向いており、出力された音は円筒部材６２の内周面にあたり、反射を繰り返すことで増幅されるようになっている。増幅された音は、この低音用スピーカ取付位置を中心として、円筒部材６２の左右端の開口へと伝搬され、出力される。
【００３１】
以下に本実施の形態の作用を説明する。
【００３２】
まず、通常遊技の流れを説明する。
【００３３】
遊技者がハンドル３０を把持し、発射のための操作を行なうと、このハンドル操作量（回転量）に応じた強度で、パチンコ球が打ち出される。
【００３４】
パチンコ球が打ち出されると、外バンド３６及び内バンド３８に案内されて盤面３２の釘や風車等に当接しながら、予測し得ない移動をしながら落下していく。ここで、始動口４６にパチンコ球が入賞すると、乱数カウンタを用いて所定の確率下で大当り抽選が開始される。この大当り抽選の結果、当り／外れが決定すると、それぞれにおいて、予め準備された図柄変動パターンを選択（乱数カウンタで選択してもよい）し、特別図柄表示装置４３に図柄変動パターンを表示する。この図柄変動パターンにおいては、リーチを経由した当り、外れリーチ、リーチを経由しない外れ等、様々な演出があり、遊技者は期待感をもって抽選結果を待つことができる。
【００３５】
抽選の結果が当りの場合は、予め設定したラウンド数（例えば、１５ラウンド）の大当たり処理が実行される。この大当たり処理中は、大入賞口４４がほとんど開放状態であるため、遊技者によって有利な状態とすることができる。所定ラウンドの大当たり処理が終了すると、通常の遊技に戻る。
【００３６】
ここで、本実施の形態では、上記図柄変動パターンの演出中、視覚的な演出のみならず、聴覚を通じて演出している。
【００３７】
中高音用は、内枠１４に設けられた中高音用スピーカ６４、６６によってステレオで出力される。一方、低音は、従来パチンコ機１０に設置スペースがないため、省略されており、その分臨場感に欠けていた。
【００３８】
そこで、本実施の形態では、比較的小口径のコーンを持つスピーカによって、要求される音質、音量で低音を出力する構造を設けた。
【００３９】
すなわち、パチンコ機１０の一体皿２６の裏面側において、左右方向に比較的狭いスペースを取り回すように円筒部材１００を配置した。この円筒部材１００は、軸線が直線となるのが基本であるが、他の部材との干渉を回避するため、軸線が屈曲しても問題はない。逆に、予め円筒部材１００を蛇腹状としてフレキシブルに屈曲可能な部材としておけば、異なる機種間で共通部材として利用可能である。
【００４０】
この円筒部材１００の軸線方向中央部には、低音用スピーカ取付部１０２が一体形成されており、その突出先端面に低音用スピーカ７０の取付ブラケット７２を突き当て、ビス７４によって螺合する。
【００４１】
これにより、低音用スピーカ７０は、出力方向が円筒部材１００の軸直角方向となって取付けられる。
【００４２】
このような状態で、低音用スピーカ７０から音を出力すると、図４の鎖線に示される如く、円筒部材１００の内周面で反射しながら増幅し、左右の開口端へと伝搬され、一体皿２６に設けられた音声出力部６０Ｌ、６０Ｒから出力される。
【００４３】
音声出力部６０Ｌ、６０Ｒは、それぞれ着座している遊技者の左耳及び右耳に対応しているため、バランスよく低音を遊技者へ伝えることができる。このため、中高音用スピーカ６４、６６から出力される中高音とのバランスも保たれ、違和感のない低音を出力することができる。
【００４４】
本実施の形態によれば、円筒部材１００を上皿２６の裏面側において左右方向に配置し、その両端部を一体皿２６の前面側に略９０°屈曲させ、当該円筒部材１００の軸線方向に、出力方向が軸直角方向となるように低音用スピーカ７０を取り付けたため、低音用スピーカ７０から出力された音は、円筒部材１００の内周面で反射しながら増幅し、円筒部材１００の左右にバランスよく伝搬されて音声出力部６０Ｌ、６０Ｒから遊技者の左右の耳へ入力されるため、違和感のない低音を提供することができる。
【００４５】
なお、本実施の形態では、円筒部材１００の左右の開口から出力される音質、音量を均等としたが、意図的にバランスを崩すように調整してもよい。以下、音のバランス調整機構を設けた変形例を示す（変形例１、変形例２）。
（変形例１）
図５には、音バランス調整機構が設けられた低音用スピーカシステム６５Ａが示されている。
【００４６】
音声出力部６０Ｌ、６０Ｒの裏面側に配設された円筒部材１００は、パチンコ機１０の左右に連続して設けられており、この左右両端部近傍が前記一体皿２６の裏面側に向けて略９０°屈曲されている。
【００４７】
この円筒部材１００は、低音増幅管としての役目を有しており、軸線方向中央部には、低音用スピーカ取付部１０２が形成されている。この低音用スピーカ取付部１０２は矩形状であり、円筒部材１００の周面から半径方向に突出されている。突出先端面には、開口部６８が形成され、低音用スピーカ７０の取付ブラケット７２突き合わせされ、ビス７４によって螺合され、固定されている。
【００４８】
円筒部１００の両端開口には、絞り機構部１０４が設けられている。この絞り機構部１０４は、円板状の絞り部１０６と駆動部１０８とで構成されている。
【００４９】
絞り部１０６は複数枚の羽根部材１０６Ａが組み合わされており、駆動部１０８の駆動力で駆動することで、軸芯を基点として開口面積を変更することができるようになっている。
【００５０】
すなわち、開口面積が広いとその分出力される音量が大きくなり（図５の左端開口参照）、一方、開口面積が狭いとその分出力される音量が小さくなる（図５の右端開口参照）。これにより、駆動部１０８の駆動を制御することで、円筒部材１００の左右の開口端から出力される音量のバランスを調整することができる。
（変形例２）
図６には、音バランス調整機構が設けられた低音用スピーカシステム６５Ｂが示されている。
【００５１】
音声出力部６０Ｌ、６０Ｒの裏面側に配設された円筒部材１００は、パチンコ機１０の左右に連続して設けられており、この左右両端部近傍が前記一体皿２６の裏面側に向けて略９０°屈曲されている。
【００５２】
この円筒部材１００は、低音増幅管としての役目を有しており、軸線方向中央部には、低音用スピーカ取付部１０３が形成されている。この低音用スピーカ取付部１０３は砲台形状となっている。
【００５３】
砲台形状の低音用スピーカ取付部１０３の内側天井面には、２個（低音用スピーカ７０の四隅に対応して４個でもよい）のソレノイド１１０の本体１１０Ａが軸１１２を介して吊り下げ状態で取付けられている。また、ソレノイド１１０のプランジャ１１０Ｂの先端は、軸１１４を介して低音用スピーカ７０の取付ブラケット７２に取付けられている。
【００５４】
このため、低音用スピーカ７０は、ソレノイド１１０によって吊り下げられた状態で保持されることになる。このとき、プランジャ１１０Ｂの伸縮量が全て同一の場合には、低音用スピーカ７０の出力方向は、円筒部材１００の軸直角方向となる。
【００５５】
一方、ソレノイド１１０の一方側（図６の右側）のプランジャ１１０Ｂが伸長すると、低音用スピーカ７０は傾倒され、出力方向が軸直角方向に対して若干角度を持つことになる。このため、低音用スピーカ７０から出力された音は、円筒部材１００の内周面に反射され、傾倒された側へ多く伝搬されることになり、この方向（図６の左端開口）からの出力が大きくなり、異なる方向（図６の右端開口）からの出力が小さくなる。
【００５６】
以上のようにソレノイド１１０のプランジャ１１０Ｂの伸縮量によって低音用スピーカ７０を傾倒させることで、左右の音量のバランスを調整することができる。
【００５７】
上記変形例１及び変形例２において、音バランス調整機構を適用する例としては、図７に示される如く、特別図柄表示装置４３での演出画面に、重量物であるキャラクタ（ここでは、象１１６とする）が画面の左から右に移動する足音を表現する際、最初は円筒部材１００の左端開口からの音量を大きくすることで、音声出力部６０Ｌから遊技者の左の耳からの入力が大きくなり、象１１６の移動に同期して円筒部材の右端開口からの音量を大きくすることで、音声出力部６０Ｒから遊技者の右の耳からの入力が大きくなる。これにより、象１１６の移動に臨場感を持たせることができる。
【００５８】
【発明の効果】
以上説明した如く本発明では、左右の聴覚に対してバランスよく音を出力することができ、必要に応じてこのバランスを制御することで、視覚を通じた報知とのリンクによって音による演出を向上することができるという優れた効果を有する。
【図面の簡単な説明】
【図１】本実施の形態に係るパチンコ機の正面図である。
【図２】本実施の形態に係る遊技機の正面図である。
【図３】本実施の形態に係る低音用スピーカシステムの概略を示す斜視図である。
【図４】本実施の形態に係る低音用スピーカシステムの平面図である。
【図５】音バランス調整機構を持つ変形例１に係る低音用スピーカシステムの平面図である。
【図６】音バランス調整機構を持つ変形例２に係る低音用スピーカシステムの平面図である。
【図７】音バランス調整機構によるバランス調整と画像とをリンクさせた場合の音量調整状態を示す特別図柄表示装置の正面図である。
【符号の説明】
１０    パチンコ機
２６    一体皿（前面パネル）
３２    遊技盤
４２    センター役物
４３    特別図柄表示装置
４６    始動口
６０Ｌ、６０Ｒ    音声出力部
６４    中高音用スピーカ（中高音域用スピーカ）
６５    低音用スピーカシステム
６６    中高音用スピーカ（中高音域用スピーカ）
６８    開口部
６８Ａ    雌ねじ
７０    低音用スピーカ（低音域用スピーカ）
７２    取付ブラケット
７２Ａ    円孔
１００    円筒部材（筒体）
１０２    低音用スピーカ取付部
１０４    絞り部（調整手段）
１０８    駆動部（調整手段）
１１０    ソレノイド（調整手段）
【図１】
2004194818.tif 000003
【図２】
2004194818.tif 000004
【図３】
2004194818.tif 000005
【図４】
2004194818.tif 000006
【図５】
2004194818.tif 000007
【図６】
2004194818.tif 000008
【図７】
2004194818.tif 000009